(57)【要約】【課題】ステントを施術装置と螺合した後、施術することにより、正確な施術位置制御と簡単な螺合解除によって施術を簡単に行えるようにし、感染した内分泌液によって体内の管路が詰まることを防止し、内分泌液が円滑に流動するようにするプラスチックステントを提供する。【解決手段】胴体の全長に沿って貫設された流動ホールを含み、カテーテルのようなステント施術装置とともに使われるプラスチックステントであって、前記施術装置はステント押込棒の末端外周面に雄ネジ部が形成された雄ネジ端を含み、前記ステントは、施術装置のステント押込棒の末端外周面に形成された雄ネジ端と結合するように前記胴体の流動ホールの内周面に雌ネジ部が形成され、前記ステント押込棒の雄ネジ端がステント胴体の流動ホールの雌ネジ部に結合されて体内の血管や器官の内部に挿入され、正確な位置の選定後、螺合が解除される方式で施術される。【選択図】  図１
2011240121.tif 000002
【特許請求の範囲】
【請求項１】
胴体２の全長に沿って貫設された流動ホール２ａを含み、カテーテルのようなステント施術装置とともに使われるプラスチックステント１０において、
前記施術装置２０はステント押込棒２１の末端外周面に雄ネジ部２２が形成された雄ネジ端２３を含み、
前記ステントは、施術装置２０のステント押込棒２１の末端外周面に形成された雄ネジ端２３と結合するように前記胴体２の流動ホール２ａの内周面に雌ネジ部２ｂが形成され、前記ステント押込棒２１の雄ネジ端２３がステント胴体の流動ホール２ａの雌ネジ部２ｂに結合されて体内の血管や器官の内部に挿入され、正確な位置の選定後、螺合が解除される方式で施術されるように構成されることを特徴とする、プラスチックステント。
【請求項２】
前記雌ネジ部２ｂは流動ホール２ａの一端の内周面に形成されことを特徴とする、請求項１に記載のプラスチックステント。
【請求項３】
前記雌ネジ部２ｂは流動ホール２ａの両端の内周面に形成されることを特徴とする、請求項１に記載のプラスチックステント。
【請求項４】
プラスチックステント１０用施術装置において、
前記ステントは胴体２の全長に沿って貫設された流動ホール２ａを含み、前記胴体２の流動ホール２ａの内周面に雌ネジ部２ｂが形成され、
前記施術装置２０は、ステント胴体２の流動ホール２ａの内周面に形成された雌ネジ部２ｂと結合するようにステント押込棒２１の末端外周面に雄ネジ部２２が形成された雄ネジ端２３を含み、前記ステント押込棒２１の雄ネジ端２３がステント胴体の流動ホール２ａの雌ネジ部２ｂに結合され、ステントが体内の血管や器官の内部に挿入され、正確な位置の選定後、螺合が解除される方式で施術されるように構成されることを特徴とする、プラスチックステント用施術装置。
【発明の詳細な説明】
【技術分野】
【０００１】
本発明はプラスチックステントに係り、特にネジ結合で排出及び挿入を繰り返すことができるようにして、正確な施術位置の調整が可能なプラスチックステントに関する。
【背景技術】
【０００２】
一般に、狭管の拡張維持、及び胆道、食道、気道及び尿管のような各種臓器で発生する病変によって前記のような臓器の管路が狭くなるか、あるいは人体内に内視鏡を用いて病変部位を治療するときに発生する傷によって一時的に炎症が発生して臓器の管路が細くなる現象などの問題がある臓器の管路を拡張するためにさまざまなプラスチックステントを使っている。
【０００３】
しかし、前記プラスチックステントは、施術のために施術装置内に挿入した後、対象臓器の内部に挿入することになるが、正確な施術のためには引き出し及び挿入の過程を繰り返すことができなければならない。
【０００４】
そして、前記プラスチックステントを押して施術する方式の場合、施術位置がまったく挿入装置から排出される場合、施術位置を再調整するためには、施術装置内に再び挿入して調整をすることができない問題点があった。
【０００５】
これにより、プラスチックステントと施術装置を螺合することで、正確な施術位置の選定のために、排出及び再挿入が可能となり、施術位置を調整することができるプラスチックステントが切実に要求される実情である。
【発明の概要】
【発明が解決しようとする課題】
【０００６】
したがって、本発明は前記のような従来技術の問題点に鑑みてなされたもので、ステントを施術装置と螺合した後、施術することにより、正確な施術位置制御と簡単な螺合解除によって施術を簡単に行えるようにすることにその目的がある。
【０００７】
また、本発明の他の目的は、さまざまな理由で感染した内分泌液によって体内の管路が詰まることを防止し、内分泌液が円滑に流動するようにするプラスチックステントを提供することにある。
【課題を解決するための手段】
【０００８】
前記のような目的を達成するために、本発明は、胴体の全長に沿って貫設された流動ホールを含み、カテーテルのようなステント施術装置とともに使われるプラスチックステントであって、前記施術装置はステント押込棒の末端外周面に雄ネジ部が形成された雄ネジ端を含み、前記ステントは、施術装置のステント押込棒の末端外周面に形成された雄ネジ端と結合するように前記胴体の流動ホールの内周面に雌ネジ部が形成され、前記ステント押込棒の雄ネジ端がステント胴体の流動ホールの雌ネジ部に結合されて体内の血管や器官の内部に挿入され、正確な位置の選定後、螺合が解除される方式で施術されるように構成されるステントを提供する。
【０００９】
前記雌ネジ部は流動ホールの一端の内周面に形成されることができる。
【００１０】
前記雌ネジ部は流動ホールの両端の内周面に形成されることができる。
【００１１】
また、本発明は、前記目的を達成するために、プラスチックステント用施術装置であって、前記ステントは胴体の全長に沿って貫設された流動ホールを含み、前記胴体の流動ホールの内周面に雌ネジ部が形成され、前記施術装置は、ステント胴体の流動ホールの内周面に形成された雌ネジ部と結合するようにステント押込棒の末端外周面に雄ネジ部が形成された雄ネジ端を含み、前記ステント押込棒の雄ネジ端がステント胴体の流動ホールの雌ネジ部に結合され、ステントが体内の血管や器官の内部に挿入され、正確な位置の選定後、螺合が解除される方式で施術されるように構成されるプラスチックステント用施術装置を提供する。
【発明の効果】
【００１２】
したがって、本発明は、さまざまな理由で感染した内分泌液によって体内の管路が詰まることを防止し、内分泌液が円滑に流動するようにする効果がある。
【００１３】
また、ステントを施術装置と螺合した後、施術することにより、正確な施術位置の制御と簡単な螺合解除で施術が簡便になる効果がある。
【図面の簡単な説明】
【００１４】
【図１】本発明によるプラスチックステントを示す分解斜視図である。
【図２】本発明によるプラスチックステントを示す断面図である。
【図３】本発明によるプラスチックステントが施術装置と結合された状態の断面図である。
【図４】本発明によるプラスチックステントイ施術装置の挿入管内に挿入された状態の断面図である。
【図５】本発明によるプラスチックステントが胆管内に挿入される施術過程を示す例示図である。
【図６】本発明によるプラスチックステントが胆管内に挿入されて、感染した胆汁を排出する施術過程を示す例示図である。
【発明を実施するための形態】
【００１５】
以下、前記のような本発明の好適な実施例を添付図面に基づいて詳細に説明する。
【００１６】
図１〜図４に示すように、本発明のプラスチックステントは、体内の血管や器官内に挿入施術して、胴体２の全長に沿って貫設された流動ホール２ａを通じて内分泌液を排出するのに使用されるプラスチックステント１０に関する。
【００１７】
まず、前記プラスチックステント１０とは一字形の胴体に掛けフックが形成された形態やコイル形に製作されたものをいう。
【００１８】
ここで、前記胴体２の流動ホール２ａの内周面には雌ネジ部２ｂが形成されている。
【００１９】
また、前記雌ネジ部２ｂは流動ホール２ａの一端の内周面または両端の内周面に構成することができる。
【００２０】
さらに、カテーテルのような施術装置２０のステント押込棒２１を含み、ステント押込棒２１の末端外周面には雄ネジ部２２が形成される雄ネジ端２３が形成されている。
【００２１】
すなわち、前記ステント押込棒２１の雄ネジ端２３を流動ホール２ａの雌ネジ部２ｂに結合して体内の血管や器官の内部に挿入し、正確な位置を選定した後、螺合を解除して施術するように構成される。
【００２２】
この際、前記雄ネジ端２３の雄ネジ部２２と雌ネジ部２ｂを結合して体内の血管や器官の内部に挿入するとき、正確な施術位置を調整するために、一般的な押し出して施術する方式に比べ、プラスチックステント１０を施術装置２０からまったく排出させたと言っても、位置調整のために再挿入できるように構成したものである。
【００２３】
前記のように構成された本発明のプラスチックステント１０を体内の血管や器官の１つである胆管に挿入する施術及び施術による作用を説明すれば次のようである。
【００２４】
図４〜６に示すように、前記胆管６は肝４の胆嚢７で生成される胆汁を十二指腸５に供給する通路であって、物理的損傷、治療薬物による化学的損傷、感染、過敏反応、熱損傷などのさまざまな原因で炎症が発生する。
【００２５】
このように、前記胆管６内の炎症によって汚染された胆汁９が生成して十二指腸５に円滑に排出できないときに施術される。
【００２６】
そして、前記プラスチックステント１０を施術する過程はつぎのようである。
【００２７】
まず、施術装置２０のステント押込棒２１の雄ネジ端２３に形成された雄ネジ部２２を流動ホール２ａの雌ネジ部２ｂに螺合する。
【００２８】
その後、前記ステント押込棒２１を引っ張ることで、プラスチックステント１０を挿入棒２４の内部に挿入させる。
【００２９】
この際、前記プラスチックステント１０の施術準備が完了すれば、ステント押込棒２１が挿入された挿入棒２４を人体の外部から体内に挿入して胆管６の内部に挿入させる。
【００３０】
その後、前記プラスチックステント１０が施術位置に到逹すれば、施術装置２０のステント押込棒２１を前方に押して挿入棒２４の外部に露出させる。
【００３１】
この際、前記プラスチックステント１０とステント押込棒２１は螺合されているので、ステント押込棒２１を押して露出させるか引っぱって挿入する過程によってプラスチックステント１０の正確な施術位置を調整することができる。
【００３２】
そして、正確な施術位置の調整後、プラスチックステント１０がステント押込棒２１の押し出し作動によって挿入棒２４から完全に露出すれば、プラスチックステント１０は胆管６の内壁面に密着して支持される。
【００３３】
このように、前記プラスチックステント１０の位置の調整が完了すれば、プラスチックステント１０と螺合されたステント押込棒２１を徐々に回転させて解除させた後、施術装置２０を人体の外部に引き出すことで施術を完了することになる。
【００３４】
これにより、施術が完了すれば、感染した胆汁９は胆管６に流入する同時にプラスチックステント１０の流動ホール２ａに沿って流動して十二指腸５を通じて小腸や大腸に流入して排出される。
【００３５】
その後、一定期間にわたって感染した胆汁９の排出状態を観察した後、感染した胆汁９が発生しない場合、内視鏡を再び挿入し、プラスチックステント１０をステント押込棒２１と螺合した後、内視鏡とともに人体の外部に排出させる。
【００３６】
以上、本発明を特定の好適な実施例に基づいて図示して説明したが、本発明は前記のような実施例に限定されなく、本発明の精神を逸脱しない範囲内で当該発明が属する技術分野で通常の知識を持った者によって多様な変更と修正が可能であろう。例えば、プラスチック材は、本発明が追い求める目的及び効果を果たすことができる強度のものであれば使用可能であり、必要によっては人体に無害な金属材の使用も可能であろう。
【産業上の利用可能性】
【００３７】
本発明は、ネジ結合で排出及び挿入を繰り返すことができるようにして、正確な施術位置の調整が可能なプラスチックステントに適用可能である。
【符号の説明】
【００３８】
１    胴体
２    流動ホール
２ｂ    雌ネジ部
４    肝
５    十二指腸
６    胆管
１０    プラスチックステント
２０    施術装置
２１    ステント押込棒
２２    雄ネジ部
２３    雄ネジ端
２４    挿入棒
【図１】
2011240121.tif 000003
【図２】
2011240121.tif 000004
【図３】
2011240121.tif 000005
【図４】
2011240121.tif 000006
【図５】
2011240121.tif 000007
【図６】
2011240121.tif 000008